(57)【要約】      （修正有）【課題】ブレードの組み付けをさらに工夫することによって、より一層のコストダウンを図ることができて、使用上でも安全性を高めることのできるかみそりを提供する。【解決手段】ブレード保持部１２に、先端下部及び下端が開口するブレード挿入溝１３を形成するとともに、ブレード２０を、先端に刃体止め部３１を有するブレードホルダーに組み付け、ブレード挿入溝１３内に、ブレード２０を保持させたブレードホルダーを、刃体止め部３１とは反対側をブレード挿入溝１３の先端から強制的に挿入して、ブレード２０の刃がブレード挿入溝１３の下端部から露出するとともに、ブレード挿入溝１３の先端下部を刃体止め部３１によって埋めるようにする。【選択図】図１
0003156725.tif 000002
【実用新案登録請求の範囲】
【請求項１】
持ち手部の先に一体化したブレード保持部にブレードを取り付けたかみそりであって、
前記ブレード保持部に、先端下部及び下端が開口するブレード挿入溝を形成するとともに、前記ブレードを、先端に刃体止め部を有するブレードホルダーに組み付け、
前記ブレード挿入溝内に、前記ブレードを保持させたブレードホルダーを、前記刃体止め部とは反対側を前記ブレード挿入溝の先端から強制的に挿入して、
前記ブレードの刃が前記ブレード挿入溝の下端部から露出するとともに、前記ブレード挿入溝の先端下部を前記刃体止め部によって埋めるようにしたことを特徴とするかみそり。
【考案の詳細な説明】
【技術分野】
【０００１】
本考案は、かみそりに関し、特に使い捨てされるかみそりに関するものである。
【背景技術】
【０００２】
この種の使い捨てかみそりは、出願人も数多くのものを提案してきているが、例えば特許文献１にもその例がある。
【先行技術文献】
【特許文献】
【０００３】
【特許文献１】特開平８−３３２２８８号公報、要約
【考案の開示】
【考案が解決しようとする課題】
【０００４】
この特許文献１の「替刃可能な長刃かみそり」は、「ローコストで高級感のある長刃かみそりの提供」を目的としてなされたもので、図７に示すように、「合成樹脂のモジュール化したブレードカバー３０が、モジュール化した固着タイプのブレードホルダー１１に装着されたブレード２０と共に、このブレードホルダー１１とブレード２０を、ブレード２０の刃先２１がこのブレードホルダー１１の下端から少々出た状態で密着状態に、水平に挿入させる。カバー３０は、ナイフのキャップの底部が解放されている形状で、ブレードホルダー１１のひらつき防止突起部１１ｃに該当する部分が欠損しており、そのカバー３０の中央付近に、ブレードホルダー１１のブレード係止手段１１ｇに嵌合する水平方向のスリット３１ａが設けられていて、合成樹脂のモジュール化したかみそり本体４０が、ブレードホルダー１１に固着一体化して成形されている」ものである。
【０００５】
このため、この特許文献１の「替刃可能な長刃かみそり」は、「組立が安全でローコストでスマートなかみそりとなった」ものであり、それはそれで十分ではあるが、本考案者等がもう少し「コストダウン」できる方法や手段はないものか、について種々検討を重ねてきた結果、本考案を完成したのである。
【０００６】
すなわち、本考案の目的とするところは、ブレードの組み付けをさらに工夫することによって、より一層のコストダウンを図ることができて、使用上でも安全性を高めることのできるかみそりを提供することにある。
【課題を解決するための手段】
【０００７】
以上の課題を解決するために、本考案の採った手段は、後述する最良形態の説明中で使用する符号を付して説明すると、
「持ち手部１１の先に一体化したブレード保持部１２にブレード２０を取り付けたかみそり１０であって、
ブレード保持部１２に、先端下部及び下端が開口するブレード挿入溝１３を形成するとともに、ブレード２０を、先端に刃体止め部３１を有するブレードホルダー３０に組み付け、
ブレード挿入溝１３内に、ブレード２０を保持させたブレードホルダー３０を、刃体止め部３１とは反対側をブレード挿入溝１３の先端から強制的に挿入して、
ブレード２０の刃２１がブレード挿入溝１３の下端部から露出するとともに、ブレード挿入溝１３の先端下部を刃体止め部３１によって埋めるようにしたことを特徴とするかみそり１０」
である。
【０００８】
すなわち、本考案に係るかみそり１０は、持ち手部１１の先に一体化したブレード保持部１２にブレード２０を取り付けた、所謂「長柄かみそり」であり、この長柄の先にブレード２０を取り付ける方法あるいは手段を、以下のように工夫することにより、生産上のコストダウンをより一層図り、かつ、安全性をも高めるようにしたものである。
【０００９】
まず、本考案に係るかみそり１０では、図１及び図２に示すように、その先端部分になるブレード保持部１２にブレード２０を取り付けるようにしたものであり、そのために、このブレード保持部１２に、先端下部及び下端が開口するブレード挿入溝１３を形成したものである。
【００１０】
このブレード挿入溝１３は、後述するブレードホルダー３０に一体化したブレード２０を、ブレードホルダー３０毎強制的に挿入する部分であり、図４の（ｂ）に示すブレードホルダー３０の高さ程度の深さと、図４の（ｃ）に示すブレードホルダー３０の幅程度の幅を有するものである。そして、このブレード挿入溝１３に、先端からブレードホルダー３０毎挿入されたブレード２０は、このブレード挿入溝１３の両側に位置するブレード保持部１２によって、接着剤がなくても当該ブレード挿入溝１３内にしっかりと保持されることになるのである。
【００１１】
なお、後述する実施形態のブレード２０は、刃２１を包み込む安全網２２を有するものであるが、本考案を実施するには、このようなタイプのものに限るものではない。
【００１２】
刃２１を保持するブレードホルダー３０は、図２、及び図３の（ａ）に示すように、上記ブレード挿入溝１３内に差し込まれるのとは反対側部分に刃体止め部３１を形成したものである。この刃体止め部３１は、当該ブレードホルダー３０がブレード２０とともにブレード挿入溝１３内に完全に挿入されたとき、図１の（ａ）及び（ｂ）に示すように、ブレード保持部１２から突出することはなく、持ち手部１１やブレード保持部１２のデザインを阻害するものでもない。むしろ、この刃体止め部３１は、図３の（ａ）に示すような複雑形状であるが故に、これに対応した形状の位置決め溝１３ａ（ブレード挿入溝１３の先端開口となっている）にピッタリと合致して、ブレードホルダー３０のブレード挿入溝１３、つまりブレード保持部１２に対する位置決めを確実に行うことになる。
【００１３】
換言すれば、当該かみそり１０において、ブレード２０を保持するブレードホルダー３０の先端に形成してある刃体止め部３１は、ブレード挿入溝１３の先端に形成した位置決め溝１３ａ内に係合することによってブレード２０の取付を確認できるものであるし、その複雑形状ともあいまってブレード２０のブレード保持部１２に対する保持を確実に行うから、ブレード２０の刃２１の、ブレード保持部１２からの突出量を安定させるものとなっているのである。
【００１４】
特に、このかみそり１０において、ブレード２０を接着剤を使用しないでブレード挿入溝１３に固定することができるから、その製造コストをより一層低減できるのであり、しかも、ブレード２０は、ブレード挿入溝１３側の位置決め溝１３ａとブレードホルダー３０側の刃体止め部３１との係合によってブレード保持部１２にしっかりと固定されているから、ブレード保持部１２から簡単に外れることがなく、使用時の安全性確保も十分なされているのである。
【００１５】
従って、本考案に係るかみそり１０は、より一層のコストダウンを図ることができて、使用上でも安全性を高めることのできるものとなっているのである。
【考案の効果】
【００１６】
以上の通り、本考案においては、
「持ち手部１１の先に一体化したブレード保持部１２にブレード２０を取り付けたかみそり１０であって、
ブレード保持部１２に、先端下部及び下端が開口するブレード挿入溝１３を形成するとともに、ブレード２０を、先端に刃体止め部３１を有するブレードホルダー３０に組み付け、
ブレード挿入溝１３内に、ブレード２０を保持させたブレードホルダー３０を、刃体止め部３１とは反対側をブレード挿入溝１３の先端から強制的に挿入して、
ブレード２０の刃２１がブレード挿入溝１３の下端部から露出するとともに、ブレード挿入溝１３の先端下部を刃体止め部３１によって埋めるようにしたこと」
にその構成上の特徴があり、これにより、より一層のコストダウンを図ることができて、使用上でも安全性を高めることのできるかみそり１０を提供できるのである。
【図面の簡単な説明】
【００１７】
【図１】本考案に係るかみそり１０を示すもので、（ａ）は側面図、（ｂ）は平面図である。
【図２】同かみそり１０の拡大正面図である。
【図３】ブレード保持部１２内に挿入されるブレード２０をブレードホルダー３０に一体化したものを示すもので、（ａ）は拡大正面図、（ｂ）は側面図、（ｃ）は平面図である。
【図４】ブレード保持部１２内に挿入されるブレード２０が組み付けられるブレードホルダー３０を示すもので、（ａ）は拡大正面図、（ｂ）はブレード２０を外した側面図、（ｃ）は平面図である。
【図５】ブレード保持部１２内に挿入されるブレード２０を示すもので、（ａ）は拡大右側面図、（ｂ）は同左側面図、（ｃ）は平面図、（ｄ）は底面図である。
【図６】ブレード２０の刃２１を覆う安全網２２の拡大展開平面図である。
【図７】特許文献１に示された従来技術を示す部分斜視図である。
【考案を実施するための形態】
【００１８】
次の、本考案を、図面に示した実施の形態に係るかみそり１０に従って説明すると、図１の（ａ）及び（ｂ）には、完成したかみそり１０の側面図及び平面図が示してあり、このかみそり１０を正面からみて拡大した状態が図２に示してある。このかみそり１０は、所謂長柄かみそりであり、持ち手部１１の先端にブレード保持部１２を直線的に一体化し、このブレード保持部１２に形成したブレード挿入溝１３に、ブレード２０をブレードホルダー３０とともに挿入したものである。なお、本実施形態の持ち手部１１は、図１の（ａ）に示したように、手で持ちやすくするために、手になじむカーブ上のものに形成してある。
【００１９】
ブレード挿入溝１３は、ブレード保持部１２の先端下部及び下端が開口するように形成したもので、特に、当該ブレード挿入溝１３の先端開口は、図２にも示したような位置決め溝１３ａとしてある。なお、本実施形態のブレード挿入溝１３では、図２に示したように、当該ブレード挿入溝１３の図示左側部分に位置決め溝１３ａが連続するように形成してあり、この位置決め溝１３ａ内には、後述するブレードホルダー３０側の位置決め３１ａが挿入できるようにしてある。
【００２０】
ブレード２０は、一般的な一枚刃であってもよいが、二枚刃や三枚刃も採用できる。本実施形態のブレード２０は、図５に示したような形状の一枚刃であるが、図６に示した安全網２２によって、刃２１の先全てが露出しないようにしたものである。換言すれば、このブレード２０は、図５の（ｄ）に示したように、刃２１を安全網２２によって包み込んで、当該かみそり１０の使用時に、刃２１がその長さ方向に滑らないようにしてある。
【００２１】
そして、このブレード２０は、図４に示したような、先端に刃体止め部３１を有するブレードホルダー３０に組み付けられるものであり、その際の位置決めのために、このブレード２０には、図５の（ａ）及び（ｂ）に示したように、左右一対の位置決め穴２３が形成してある。
【００２２】
さて、ブレードホルダー３０は、図４の（ａ）に示したように、その外方端部が上述した刃体止め部３１となるものであるが、この刃体止め部３１は、ブレード保持部１２側のブレード挿入溝１３の先端下部に開口する開口内に、図２に示したように、納められるものである。つまり、このブレードホルダー３０は、図３に示したように、ブレード２０を取り付けた状態で刃体止め部３１とは反対側からブレード保持部１２のブレード挿入溝１３内に挿入されるものである。
【００２３】
また、このブレードホルダー３０の刃体止め部３１には、図４の（ｂ）及び（ｃ）にも示したように、位置決め突起３２が形成してあり、これらの位置決め突起３２には、ブレード２０側に形成した各位置決め穴２３が係合される。換言すれば、このブレードホルダー３０にブレード２０を一体化したときには、図３に示したようになるのである。
【００２４】
なお、本実施形態に係るブレードホルダー３０では、図２に示したように、上記刃体止め部３１の一部に位置決め３１ａが一体成形してあり、この位置決め３１ａが、ブレード保持部１２側に形成したブレード挿入溝１３の上記位置決め溝１３ａ内に係合し得るようにしてある。この位置決め３１ａが位置決め溝１３ａ内に係合することにより、ブレード保持部１２に対するブレード２０の正確な位置決めがなされるのであり、かつ、ブレード２０のブレード保持部１２に対するセット完了を明示するものでもある。
【符号の説明】
【００２５】
１０    かみそり
１１    持ち手部
１２    ブレード保持部
１３    ブレード挿入溝
１３ａ  位置決め溝
２０    ブレード
２１    刃
２２    安全網
２３    位置決め穴
３０    ブレードホルダー
３１    刃体止め部
３１ａ  位置決め
３２    位置決め突起
【図１】
0003156725.tif 000003
【図２】
0003156725.tif 000004
【図３】
0003156725.tif 000005
【図４】
0003156725.tif 000006
【図５】
0003156725.tif 000007
【図６】
0003156725.tif 000008
【図７】
0003156725.tif 000009